(57)【要約】      （修正有）【課題】連接アームによって各キーキャップを連接することによりキーボードの厚さを減少でき、容易に組立できる薄型化キーボードを提供する。【解決手段】回路板と、該回路板に設けられ垂直に変位して該回路板と接触してキーボード命令信号を発生する複数のキーキャップ構造とを設けて、組立て容易に薄型化キーボードを構成する。また、該キーキャップ構造は、複数の第１キーキャップ２と、複数の第１キーキャップ２にそれぞれ隣接する複数の第２キーキャップ３と、第１キーキャップ２と連接する少なくとも一つの第１連接段４１と、第２キーキャップ３と連接する少なくとも一つの第２連接段４２とを備える。さらに、第１連接段４１及び第２連接段４２と連接して少なくとも一つの応力屈折点Ａを有する弾性段４３と、を含み、第１キーキャップ２と第２キーキャップ３の間に設けられる複数の連接アーム４と、を含む。【選択図】図１Ｂ
0003182003.tif 000002
【実用新案登録請求の範囲】
【請求項１】
回路板（１）と、前記回路板（１）に設けられ、垂直に変位して前記回路板（１）と接触してキーボード命令信号を発生する複数のキーキャップ構造と、を少なくとも含み、容易に組立て可能な薄型化キーボードにおいて、
前記キーキャップ構造は、
複数の第１キーキャップ（２）と、
複数の前記第１キーキャップ（２）にそれぞれ隣接する複数の第２キーキャップ（３）と、
前記第１キーキャップ（２）と連接する少なくとも一つの第１連接段（４１）と、前記第２キーキャップ（３）と連接する少なくとも一つの第２連接段（４２）と、前記第１連接段（４１）及び前記第２連接段（４２）と連接して少なくとも一つの応力屈折点（Ａ）を有する弾性段（４３）と、を含み、前記第１キーキャップ（２）と前記第２キーキャップ（３）の間に設けられる複数の連接アーム（４）と、
を含むことを特徴とする薄型化キーボード。
【請求項２】
更に、フレーム（５）を含み、前記フレーム（５）は、前記キーキャップ構造を収容する少なくとも一つの収容区（５２）を含み、前記フレーム（５）に隣接する前記第１キーキャップ（２）又は前記第２キーキャップ（３）と前記フレーム（５）が連接アーム（４）によって連接されることを特徴とする、請求項１に記載の薄型化キーボード。
【請求項３】
前記キーキャップ構造は、水平方向、又は垂直方向に沿って、前記フレーム（５）の前記収容区（５２）に配列され、前記フレーム（５）と前記フレーム（５）に隣接する収容区（５２ａ）の間に支持リブ（５３）が設けられることを特徴とする、請求項２に記載の薄型化キーボード。
【請求項４】
前記フレーム（５）と前記支持リブ（５３）とは、前記第１キーキャップ（２）と前記第２キーキャップ（３）との周縁に規制部（５４、５４ａ）が設けられ、前記規制部（５４、５４ａ）により規制区間が構成されることを特徴とする、請求項３に記載の薄型化キーボード。
【請求項５】
前記規制部（５４）は、前記第１キーキャップ（２）と前記第２キーキャップ（３）とのコーナーに対向する位置に配されることを特徴とする、請求項４に記載の薄型化キーボード。
【請求項６】
前記規制部（５４ａ）は、前記第１キーキャップ（２）と前記第２キーキャップ（３）との前記連接アーム（４）が設けられていない側辺に対向する位置に配されることを特徴とする、請求項４又は５に記載の薄型化キーボード。
【請求項７】
前記フレーム（５）は、前記第１キーキャップ（２）と前記第２キーキャップ（３）の間に位置する支持アーム（５５）を有し、前記支持アーム（５５）は弾性段（４３）と連接して支持の補助となることを特徴とする、請求項２に記載の薄型化キーボード。
【請求項８】
前記第１キーキャップ（２）と前記第２キーキャップ（３）とは、第１上面（２１）と、下面（２２）と、を有し、前記下面（２２）には、前記回路板（１）へ延びる接触部（２３）が設けられることを特徴とする、請求項１又は２に記載の薄型化キーボード。
【請求項９】
前記第１キーキャップ（２）及び前記第２キーキャップ（３）と前記回路板（１）の間は変位区間を有し、前記変位区間の内部には、前記第１キーキャップ（２）及び前記第２キーキャップ（３）の前記回路板（１）への変位を補助する弾性支持体（７）が設けられることを特徴とする、請求項１又は２に記載の薄型化キーボード。
【請求項１０】
前記弾性支持体（７）は、前記第１キーキャップ（２）又は前記第２キーキャップ（３）に押されて回路板（１）と接触してキーボード命令信号を発生する触発部（７１）を有することを特徴とする、請求項９に記載の薄型化キーボード。
【請求項１１】
前記弾性支持体（７）は、前記第１キーキャップ（２）と前記第２キーキャップ（３）との中央位置に配されることを特徴とする、請求項９に記載の薄型化キーボード。
【請求項１２】
前記弾性支持体（７）は、前記第１キーキャップ（２）と前記第２キーキャップ（３）との四つのコーナーの位置に配されることを特徴とする、請求項９に記載の薄型化キーボード。
【請求項１３】
前記連接アーム（４）は、前記第１キーキャップ（２）と前記第２キーキャップ（３）との互いに対向する側辺と連接することを特徴とする、請求項１に記載の薄型化キーボード。
【請求項１４】
前記第１キーキャップ（２ｃ）と前記第２キーキャップ（３ｃ）とは、第１上面（２１ｃ）と、前記第１上面（２１ｃ）と段差を有する第２上面（２２ｃ）と、前記回路板（１１）に面している下面（２３ｃ）と、を有し、前記連接アーム（４）は、前記第１キーキャップ（２ｃ）と前記第２キーキャップ（３ｃ）との第２上面（２２ｃ、３２ｃ）の互いに対向する側辺と連接することを特徴とする、請求項１に記載の薄型化キーボード。
【考案の詳細な説明】
【技術分野】
【０００１】
本考案は、キーボードに関し、特に、連接アームによって各キーキャップを連接することにより、キーボードの厚さを減少でき、容易に組立てできる薄型化キーボードに関するものである。
【背景技術】
【０００２】
コンピュータの入力装置は色々存在する。例えばマウスやキーボードなどがあり、そのうちに最も重要なのはキーボードである。従来のキーボードは、例えば特許文献１の台湾特許第４４５４７１号、特許文献２の台湾特許第Ｉ２２０２１３号及び特許文献３の台湾特許第Ｍ３４６８６１号が提案された。これらは、キーキャップと、前記キーキャップに触発されて命令信号を発生する回路板と、前記回路板の一側に設けられる基板と、その両端がそれぞれ前記キーキャップ及び前記基板と連接する連動機構と、を有する。このようなキーボードの構成は、前記キーキャップが押圧されると、前記回路板側へ変位し、前記連動機構が圧迫されて前記回路板の回路スイッチと接触して、前記回路スイッチがオンとなって制御信号を発生する。なお、前記キーキャップが押圧されていないときに、前記連動機構が前記キーキャップの前記回路板から離れる弾力を生じさせ、前記キーキャップがある高さで前記回路板から離れる。しかし、このようなキーボードの構成によれば、命令を入力できるが、前記連動機構が一定の高さを有するため、キーボード全体を薄くすることができない。現在、コンピュータの設計は、薄くて軽い製品を作ることが要請され、特に、ノートコンピュータは、キーボードモジュールの厚さがノートコンピュータ全体の厚さの大半を占めるため、キーボードの厚さを減少できれば、ノートコンピュータ全体の厚さを減少することができる。
【０００３】
上記の問題を解決するために、特許文献４の台湾特許第Ｍ４３４９７９号が提案された。このようなキーボードのボタンは、第１支持具と第２支持具とからＶ字形構造を形成することにより、従来の連動機構がＸ字形構造を採用して全体の厚さが増加するという問題を解決できる。また、特許文献５の台湾特許第Ｍ４１９９７３号が提案された。このようなキーボードは、従来の連動機構の代りに、キーキャップと回路板の間に設けられる伸縮式昇降構造を採用することにより、小型化できる。また、特許文献６の台湾特許第Ｍ４２６０７５号が提案された。このようなキーボードは、従来の連動機構の代りに、キーキャップの四周に設けられる第１支持具と第２支持具とを採用することにより、全体の厚さを減少できる。これらの提案は、全体の厚さを減少できるが、連動機構は、別の形態で実施するだけであり、一定の厚さを有する。そしてこれらの提案は、容易に組立てできない問題がある。
【先行技術文献】
【特許文献】
【０００４】
【特許文献１】台湾特許第４４５４７１号公報
【特許文献２】台湾特許第Ｉ２２０２１３号公報
【特許文献３】台湾特許第Ｍ３４６８６１号公報
【特許文献４】台湾特許第Ｍ４３４９７９号公報
【特許文献５】台湾特許第Ｍ４１９９７３号公報
【特許文献６】台湾特許第Ｍ４２６０７５号公報
【考案の概要】
【考案が解決しようとする課題】
【０００５】
本考案の主な目的は、連接アームによって各キーキャップを連接することにより、キーボードの厚さを減少でき、容易に組立てできる薄型化キーボードを提供することにある。
【課題を解決するための手段】
【０００６】
本考案の薄型化キーボードによると、回路板１と、回路板１に設けられ、垂直に変位して回路板１と接触してキーボード命令信号を発生する複数のキーキャップ構造と、を少なくとも含み、容易に組立て可能な薄型化キーボードにおいて、キーキャップ構造は、複数の第１キーキャップ２と、複数の第１キーキャップ２にそれぞれ隣接する複数の第２キーキャップ３と、第１キーキャップ２と連接する少なくとも一つの第１連接段４１と、第２キーキャップ３と連接する少なくとも一つの第２連接段４２と、第１連接段４１及び第２連接段４２と連接して少なくとも一つの応力屈折点Ａを有する弾性段４３と、を含み、第１キーキャップ２と第２キーキャップ３の間に設けられる複数の連接アーム４と、を含むことを特徴とする。
【０００７】
本考案の薄型化キーボードによると、更に、フレーム５を含み、フレーム５は、キーキャップ構造を収容する少なくとも一つの収容区５２を含み、フレーム５に隣接する第１キーキャップ２又は第２キーキャップ３とフレーム５が連接アーム４によって連接されることを特徴とする。
【０００８】
本考案の薄型化キーボードによると、キーキャップ構造は、水平方向、又は垂直方向に沿って、フレーム５の収容区５２に配列され、フレーム５とフレーム５に隣接する収容区５２ａの間に支持リブ５３が設けられることを特徴とする。
【０００９】
本考案の薄型化キーボードによると、フレーム５と支持リブ５３とは、第１キーキャップ２と第２キーキャップ３との周縁に規制部５４、５４ａが設けられ、規制部５４、５４ａにより規制区間が構成されることを特徴とする。
【００１０】
本考案の薄型化キーボードによると、規制部５４は、第１キーキャップ２と第２キーキャップ３とのコーナーに対向する位置に配されることを特徴とする。
【００１１】
本考案の薄型化キーボードによると、規制部５４ａは、第１キーキャップ２と第２キーキャップ３との連接アーム４が設けられていない側辺に対向する位置に配されることを特徴とする。
【００１２】
本考案の薄型化キーボードによると、フレーム５は、第１キーキャップ２と第２キーキャップ３の間に位置する支持アーム５５を有し、支持アーム５５は弾性段４３と連接して支持の補助となることを特徴とする。
【００１３】
本考案の薄型化キーボードによると、第１キーキャップ２と第２キーキャップ３とは、第１上面２１と、下面２２と、を有し、下面２２には、回路板１へ延びる接触部２３が設けられることを特徴とする。
【００１４】
本考案の薄型化キーボードによると、第１キーキャップ２及び第２キーキャップ３と回路板１の間は変位区間を有し、変位区間の内部には、第１キーキャップ２及び第２キーキャップ３の回路板１への変位を補助する弾性支持体７が設けられることを特徴とする。
【００１５】
本考案の薄型化キーボードによると、弾性支持体７は、第１キーキャップ２又は第２キーキャップ３に押されて回路板１と接触してキーボード命令信号を発生する触発部７１を有することを特徴とする。
【００１６】
本考案の薄型化キーボードによると、弾性支持体７は、第１キーキャップ２と第２キーキャップ３との中央位置に配されることを特徴とする。
【００１７】
本考案の薄型化キーボードによると、弾性支持体７は、第１キーキャップ２と第２キーキャップ３との四つのコーナーの位置に配されることを特徴とする。
【００１８】
本考案の薄型化キーボードによると、連接アーム４は、第１キーキャップ２と第２キーキャップ３との互いに対向する側辺と連接することを特徴とする。
【００１９】
本考案の薄型化キーボードによると、第１キーキャップ２ｃと第２キーキャップ３ｃとは、第１上面２１ｃと、第１上面２１ｃと段差を有する第２上面２２ｃと、回路板１に面している下面２３ｃと、を有し、連接アーム４は、第１キーキャップ２ｃと第２キーキャップ３ｃとの第２上面２２ｃ、３２ｃの互いに対向する側辺と連接することを特徴とする。
【考案の効果】
【００２０】
本考案の薄型化キーボードによれば、次のような効果がある。
（１）第１キーキャップと第２キーキャップの間に連接アームを設けることにより、第１キーキャップと第２キーキャップとが押圧された後に回復力が生ずる。このように、従来の連動機構を取り替えることができ、キーボード全体の厚さを減少できる。
【００２１】
（２）本考案の連接アームの組付の過程中には、複数の構造を互いに係合することが必要ないため、容易に組立てできる。
【００２２】
（３）従来のキーボードは、基板を介して連動機構を組付けることが必要であるため、それに対応する多くの組付構造が必要である。しかし、本考案の薄型化キーボードには連動機構が設けられないため、基板の組付作業を省略でき、本考案の薄型化キーボードの構成が簡潔となる。
【図面の簡単な説明】
【００２３】
【図１Ａ】本考案の一実施例の組付けようとするフレームを示す平面図である。
【図１Ｂ】本考案の一実施例の組付けようとするフレームの一部を示す拡大図である。
【図２】本考案の一実施例の組付を示す模式図である。
【図３Ａ】本考案の一実施例のキーキャップが押圧されていない状態を示す模式図である。
【図３Ｂ】本考案の一実施例のキーキャップが押圧された状態を示す模式図である。
【図４】本考案の実施例２の構造を示す平面図である。
【図５】本考案の実施例３の構造を示す平面図である。
【図６】本考案の実施例１の構造を示す平面図である。
【図７】本考案の実施例４の構造を示す分解斜視図である。
【図８】本考案の実施例５の構造を示す側面図である。
【図９】本考案の実施例６の構造を示す側面図である。
【図１０】本考案の実施例７の構造を示す側面図である。
【図１１】本考案の実施例８の構造を示す平面図である。
【図１２】本考案の実施例８の構造を示す側面図である。
【考案を実施するための形態】
【００２４】
以下、本考案の実施の形態を図面に基づいて説明する。
図１Ａ、図１Ｂ及び図２を参照する。図１Ａは本考案の一実施例の組付けようとするフレームを示す平面図であり、図１Ｂは本考案の一実施例の組付けようとするフレームの一部を示す拡大図であり、図２は本考案の一実施例の組付を示す模式図である。図１Ｂは、図１Ａ中の楕円で囲んだ範囲を拡大した図である。本考案の薄型化キーボードは、従来のキーボードの構造に採用される連動機構を省略するため、キーボード全体の厚さを減少できる。本考案の薄型化キーボードは、回路板１と、回路板１に設けられ、垂直に変位して回路板１と接触してキーボード命令信号を発生する複数のキーキャップ構造と、を少なくとも含む。前記キーキャップ構造は、複数の第１キーキャップ２と、複数の第１キーキャップ２にそれぞれ隣接する複数の第２キーキャップ３と、第１キーキャップ２と第２キーキャップ３の間に設けられる複数の連接アーム４と、を含む。各連接アーム４は、第１キーキャップ２と連接する少なくとも一つの第１連接段４１と、第２キーキャップ３と連接する少なくとも一つの第２連接段４２と、第１連接段４１及び第２連接段４２と連接して少なくとも一つの応力屈折点Ａを有する弾性段４３と、を含む。第１キーキャップ２又は第２キーキャップ３が垂直に変位して回路板１と接触した後、弾性段４３による回復力により、第１キーキャップ２又は第２キーキャップ３が元の位置に戻る。
【００２５】
一方、本考案の薄型化キーボードは、組立のプロセスが多く、ここで、そのうちの一つを例にして説明するが、もちろん、本考案はこれらに限定されない。例にする組立てのプロセスは下記の通りである。
【００２６】
ａ）回路板を作製するステップ：キーボード命令信号を発生する複数の指令部１１を有する回路板１を作製する。
【００２７】
ｂ）キーキャップを作製するステップ：フレーム５と、フレーム５内に位置する、複数の第１キーキャップ２と、複数の第２キーキャップ３と、を一体射出成形する。フレーム５、第１キーキャップ２と第２キーキャップ３の間に注入樹脂支条５１が形成される。更に、第１キーキャップ２と第２キーキャップ３の間に連接アーム４が設けられ、連接アーム４は、少なくとも第１キーキャップ２と連接する第１連接段４１と、少なくとも第２キーキャップ３と連接する第２連接段４２と、を有する。第１連接段４１と第２連接段４２の間には、少なくとも一つの応力屈折点Ａを有する弾性段４３が設けられる。
【００２８】
ｃ）キーキャップと回路板を組付けるステップ：フレーム５にある複数の第１キーキャップ２と複数の第２キーキャップ３とが回路板１の指令部１１に合うように、回路板１にフレーム５を組付けて、予定のジグ（図示せず）により、フレーム５、第１キーキャップ２と第２キーキャップ３の間に形成される注入樹脂支条５１を取り除く。
【００２９】
また、本考案の薄型化キーボードを組み立てるときには、更に、キーボードケース６の内部に回路板１を置いて、キーボードケース６にフレーム５を組付けることができる。図３Ａ及び図３Ｂを参照する。図３Ａは本考案の一実施例のキーキャップが押圧されていない状態を示す模式図であり、図３Ｂは本考案の一実施例のキーキャップが押圧された状態を示す模式図である。本考案の薄型化キーボードを組み立てた後、フレーム５の支持により、第１キーキャップ２及び第２キーキャップ３と回路板１の間に隙間が存在し、第１キーキャップ２及び第２キーキャップ３と回路板１の間に変位区間が形成される。第１キーキャップ２と第２キーキャップ３は、前記変位区間内で変位して、回路板１に接触してキーボード命令信号を発生できる。一方、本考案の薄型化キーボードの実施の形態をはっきり説明するために、本考案は第２キーキャップ３を例にして説明する。第２キーキャップ３が押圧されて回路板１へ変位するときには、第２連接段４２が第２キーキャップ３に連動されて垂直に変位して、弾性段４３が変形して、応力屈折点Ａにより第２キーキャップ３の変位中に生じ伝導する応力が解消され、これにより、第２キーキャップ３に隣接する第１キーキャップ２に前記応力が連動されない。第２キーキャップ３に加える押圧力を無くすと、弾性段４３が平常状態に戻って、第２キーキャップ３が連動されて本来の位置に戻る。
【００３０】
また、本考案の薄型化キーボードの連接アーム４は、上記の実施の態様の他に、更に、キーボードを押圧する手の感覚、又は弾性回復できる程度によって、連接アーム４を適宜に変化できる。すなわち、連接アーム４は、図４に示すように、応力屈折点Ａ、Ａ１を有してＳ字形の態様にしてもいいし、図５に示すように、応力屈折点Ａ、Ａ１、Ａ２を有して波形の態様にしてもよい。もちろん、連接アーム４の実施の態様はこれらに限定されない。
【００３１】
図１Ａ及び図１Ｂを参照する。フレーム５は、更に、前記キーキャップ構造を収容する収容区５２を含む。収容区５２とは、第１キーキャップ２及び第２キーキャップ３のフレーム５内に設ける位置を指す。図２に示すように、連接アーム４により、収容区５２の最も外側にあってフレーム５に隣接する第１キーキャップ２又は第２キーキャップ３はフレーム５と連接する。更に、第１キーキャップ２と第２キーキャップ３とから構成されるキーキャップ構造は、水平方向、又は垂直方向に沿って、フレーム５の収容区５２に配列され、フレーム５とフレーム５に隣接する収容区５２、５２ａの間に支持リブ５３が設けられる。支持リブ５３はキーキャップ構造の配列方向によって設けられ、すなわち、キーキャップ構造が水平方向に沿って配列される場合には、支持リブ５３が水平方向に沿って設けられる。
【００３２】
図６を参照する。図６は本考案の実施例１の構造を示す平面図である。フレーム５と支持リブ５３とは、第１キーキャップ２と第２キーキャップ３との周縁に規制部５４が設けられ、規制部５４により規制区間が構成される。更に、規制部５４は第１キーキャップ２と第２キーキャップ３とのコーナーに対向する位置に配することも可能であり、又は規制部５４ａは第１キーキャップ２と第２キーキャップ３との連接アーム４が設けられていない側辺に対向する位置に配することも可能である。規制部５４、５４ａは、フレーム５に設けることも可能であり、支持リブ５３に設けてもよい。規制部５４、５４ａにより、ユーザのキーキャップを押圧する箇所が異なることによって、第１キーキャップ２又は第２キーキャップ３が支持リブ５３又は別のキーキャップへずれることを回避できる。図１Ａを参照する。フレーム５は、更に、第１キーキャップ２と第２キーキャップ３の間に位置する支持アーム５５を有し、支持アーム５５は弾性段４３と連接する。第１キーキャップ２又は第２キーキャップ３が押圧されていないときには、支持アーム５５が連接アーム４を支持する。なお、第１キーキャップ２又は第２キーキャップ３が押圧されたときには、支持アーム５５により、第１キーキャップ２又は第２キーキャップ３が押圧されることによる応力を解消できる。
【００３３】
図２及び図３Ａを参照する。第１キーキャップ２は、更に、第１上面２１と、下面２２と、を有し、下面２２には、回路板１へ延びる接触部２３が設けられる。第２キーキャップ３の構造は第１キーキャップ２の構造と同じであるため、説明を省略した。一方、第１キーキャップ２及び第２キーキャップ３と回路板１の間は変位区間を有し、前記変位区間の内部には、第１キーキャップ２及び第２キーキャップ３の回路板１への変位を補助する弾性支持体７が設けられる。弾性支持体７は、第１キーキャップ２と第２キーキャップ３との中央位置に配され、又は図７に示すように、第１キーキャップ２と第２キーキャップ３との四つのコーナーに配される。弾性支持体７は、図８に示すように、第１キーキャップ２又は第２キーキャップ３に押されて回路板１と接触してキーボード命令信号を発生する触発部７１を有する。具体的には、弾性支持体７は、従来のキーボードの構成に採用される弾性具７ａであり、又は図９に示す片状バネ７ｂである。一方、接触部２３は、必要によって実施の形態を変更してもよい。すなわち、接触部２３は、図９に示す円弧状の構造とすることも可能であり、図１０に示す円柱状の構造とすることも可能である。
【００３４】
図３Ａを参照する。連接アーム４は、第１キーキャップ２と第２キーキャップ３との互いに対向する側辺と連接する。しかし、市販されているキーキャップは二つの実施の態様を有し、一つが図３Ａに示すものであり、もう一つが図１１に示すものである。このような実施の態様である第１キーキャップ２ｃは、第１上面２１ｃと、第１上面２１ｃと段差を有する第２上面２２ｃと、回路板１に面している下面２３ｃと、を有する。第２キーキャップ３の構造は第１キーキャップ２の構造と同じであるため、説明を省略した。更に、連接アーム４は、図１２に示すように、第１キーキャップ２ｃと第２キーキャップ３ｃとの第２上面２２ｃ、３２ｃの互いに対向する側辺と連接する。
【００３５】
このように、本考案の特定の例を参照して説明したが、それらの例は、説明のためだけのものであり、本考案を限定するものではなく、この分野に通常の知識を有する者には、本考案の要旨および実用新案登録請求の範囲を逸脱することなく、ここで開示された実施例に変更、追加、または、削除を施してもよいことがわかる。
【産業上の利用可能性】
【００３６】
本考案は、キーボードに適用することができる。
【符号の説明】
【００３７】
１    回路板
２    第１キーキャップ
２ｃ  第１キーキャップ
３    第２キーキャップ
３ｃ  第２キーキャップ
４    連接アーム
５    フレーム
７    弾性支持体
１１  指令部
２１  第１上面
２１ｃ  第１上面
２２  下面
２２ｃ  第２上面
２３  接触部
２３ｃ  下面
４１  第１連接段
４２  第２連接段
４３  弾性段
５２  収容区
５２ａ  収容区
５３  支持リブ
５４，５４ａ  規制部
５５  支持アーム
７１  触発部
Ａ    応力屈折点
【図１Ａ】
0003182003.tif 000003
【図１Ｂ】
0003182003.tif 000004
【図２】
0003182003.tif 000005
【図３Ａ】
0003182003.tif 000006
【図３Ｂ】
0003182003.tif 000007
【図４】
0003182003.tif 000008
【図５】
0003182003.tif 000009
【図６】
0003182003.tif 000010
【図７】
0003182003.tif 000011
【図８】
0003182003.tif 000012
【図９】
0003182003.tif 000013
【図１０】
0003182003.tif 000014
【図１１】
0003182003.tif 000015
【図１２】
0003182003.tif 000016